【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
ネットワーク（Ｎ）と複数のユーザ端末（Ｔ１〜Ｔｎ）の間のエアインタフェース通信のために、ＯＦＤＭなどのマルチキャリア技術を利用する無線通信システムにおける、電力プランニングを用いたセル間干渉調整方法であって、ネットワーク（Ｎ）は、基地局のセルサービスエリア（Ｃ１〜Ｃ７）内部に位置するユーザ端末（Ｔ１〜Ｔｎ）との通信手段を有する複数の基地局（ＮＥ１〜ＮＥ７）を備え、セルは、近接セルパターンに従って配列され、隣接セルは、同じ番号をもたず、同じ番号をもつセルは、リソースプランニングのために、その間で少なくとも１つのセルにより分離され、各セルは、内部セル領域（ＩＣ）および境界セル領域（ＯＣ）を有し、セル間干渉は、ユーザ端末（Ｔ）によって受信されるサービスの品質に影響を与えており、
端末（Ｔ）が少なくとも２つのパイロットチャネルを並行して受信できるようにＯＦＤＭ無線通信チャネルが設計され、各セルサービスエリアについて１つが、境界セル領域（ＯＣ）で干渉し、
ＯＦＤＭ時間−周波数グリッドが、いくつかの直交したオーバーラップしない時間−周波数パターンに区分され、前記時間−周波数パターンが、いくつか（Ｓ）の分離サブセットまたは時間−周波数グループ（ＴＦＧ１〜ＴＦＧ７）にグループ化され、いくつか（Ｓ）の分離したサブセットが、リソースプランニングのためのセルパターンのうちのいくつかの異なるセルに対応し、
各セル（Ｃ１〜Ｃ７）内で、全時間−周波数グループ（ＴＦＧ１〜ＴＦＧ７）が、端末との通信用に使われるが、セル番号（Ｃ３）に対応する確定した時間−周波数グループ（ＴＦＧ３）内での放出は、時間−周波数グループ中の伝送に利用可能な最大電力（Ｐｍａｘ）より小さい、一定の電力値（Ｐｌ）に制限された低電力で行われ、
端末（Ｔ）が、サービングセル（Ｃ７）の内部セル領域（ＩＣ）から、隣接セル（Ｃ１）に向かって前記セル（ＯＣ７１）の境界セル領域に移動すると、端末は、その領域（ＯＣ７１）内の干渉隣接セル（Ｃ１）からのパイロット信号を測定し、移動無線ネットワーク（Ｎ）に、これらのセルパイロット信号からの受信強度についての情報を報告し、
ネットワーク基準と端末（Ｔ）情報に基づいて、移動無線ネットワーク（Ｎ）が、端末（Ｔ）に、前記隣接セル（Ｃ１）が限られた電力で放出を行う時間−周波数グループ（ＴＦＧ１）の時間−周波数パターンを割り当てることを特徴とする方法。
【請求項２】
セル（Ｃ７）を起点とし、隣接セルに向う境界領域（ＯＣ７１）に移動する端末（Ｔ）によって使われる場合には、時間−周波数グループ（ＴＦＧ２〜ＴＦＧ７）を用いた、伝送に利用可能な最大電力（Ｐｍａｘ）と、セル（Ｃ１）内の確定した時間−周波数グループ（ＴＦＧ１）内での伝送のための限られた電力値（Ｐｌ）との比が、前記電力制限された時間−周波数グループ（ＴＦＧ１）を用いた十分な伝送を可能にするＳＩＲを保証することを特徴とする請求項１に記載の電力プランニングを用いたセル間干渉調整方法。
【請求項３】
時間−周波数グループ（ＴＦＧ１）が、時間周波数グループの電力制限に用いられる限界電力値（Ｐｌ）を超える異なる電力限度で、セル番号（Ｃ１）に応じて、３つのセルのセルコーナーでの干渉に対処するように、分離サブセット、たとえば２つのサブセット（ＴＦＧ１ａおよびＴＦＧ１ｂ）にさらに分割されることを特徴とする請求項１に記載の電力プランニングを用いたセル間干渉調整方法。
【請求項４】
移動無線ネットワーク（Ｎ）が、ＨＡＲＱのような、端末（Ｔ）とのＡＲＱ機構をさらに使用して、端末（Ｔ）に送信されたとき、エラーとして受信されたパケットを再スケジュールすることを特徴とする請求項１に記載の電力プランニングを用いたセル間干渉調整方法。
【請求項５】
調整を使わない内部セル領域（ＩＣ）内の、端末（Ｔ）への時間−周波数パターンまたは時間−周波数グループ割り当てが、時間−周波数パターンに渡って、発生するセル間干渉をより均一にさせるようにランダムに、または擬似ランダムに周期的に変えられることを特徴とする請求項１に記載の電力プランニングを用いたセル間干渉調整方法。
【請求項６】
基地局（ＮＥ１〜ＮＥ７）が時間同期しないことを特徴とする請求項１に記載の調整された干渉回避方法。
【請求項７】
ＯＦＤＭ時間−周波数グリッドが、周波数ホッピングを使用しない、いくつかの直交したオーバーラップしない周波数パターン（ＦＰ１〜ＦＰ１６）に区分されることを特徴とする請求項１に記載の電力プランニングを用いたセル間干渉調整方法。
【請求項８】
異なるセル内の端末（Ｔ）によって受信されるＯＦＤＭシステムパイロットチャネルが、データとしてより高いエネルギーをもつパイロットシンボルを有する、インターリービング非オーバーラップ方式で設計されることを特徴とする請求項７に記載の電力プランニングを用いたセル間干渉調整方法。
【請求項９】
各基本周波数パターン（ＦＰ１〜ＦＰ１６）は、セル固有のパイロットパターンとは独立に、すべてのセル内で同じ場所を占め、少なくとも常にこのようなパターンの基本チャネルデータレートのために基本的な数の時間−周波数の場所を残す、固有の送信セルパイロット位置を収容するために、各パターンで十分な場所をさらに含み、それにより、基本周波数パターンは、送信セルパイロットからは干渉を受けず、異なるパイロットパターンを有する隣接セルからの干渉のみを受け、最大でもオーバーヘッドの場所に相当する量だけが、すなわち、周波数パターンの全体の場所と、基本チャネルデータレートについての基本的な数の時間−周波数位置との間の差が、パイロット位置の送信のために残されることを特徴とする請求項７に記載の方法。
【請求項１０】
ＯＦＤＭ時間−周波数グリッドを、いくつかの直交したオーバーラップしない時間−周波数パターンに区分し、こうしたパターンを、いくつか（Ｓ）の分離したサブセットまたは前記時間−周波数パターンの少なくとも１つを含む時間−周波数グループ（ＴＦＧ１〜ＴＦＧＳ）にグループ化し、ユーザ端末（Ｔ）に、通信のために前記時間−周波数パターンの１つまたは複数を割り当てる手段と、セル内部で全時間−周波数グループ（ＴＦＧ１〜ＴＦＧＳ）を用いて伝送し、各セル内で前記グループの１つについて放出電力を制限する手段と、境界セル領域（ＯＣ７１）内のセルパイロット信号に関する受信測定値の強度について端末（Ｔ）からシグナリング情報を受信する手段、および前記情報を分析し、端末（Ｔ）に、干渉セル（Ｃ１）が、一定の電力値（Ｐｌ）によって制限された低減された電力で放出するための時間−周波数グループ（ＴＦＧ１）を割り当てる手段とを備えることを特徴とする移動無線ネットワーク（Ｎ）。
【請求項１１】
確定したセルパターン（Ｃ１〜Ｃ７）および／またはいくつか（Ｓ）の分離サブセットまたは時間−周波数グループ（ＴＦＧ１〜ＴＦＧＳ）でのＯＦＤＭ時間−周波数グリッド配置についての情報を受信する手段であって、時間−周波数グループが、少なくとも１つの時間−周波数パターンを含む手段と、ユーザ端末（Ｔ）に、通信のために前記時間−周波数パターンの１つまたは複数を割り当てる手段と、セル内部で全時間−周波数グループ（ＴＦＧ１〜ＴＦＧ７）を用いて伝送し、各セル内で前記グループの１つについて放出電力を制限する手段と、境界セル領域（ＯＣ７１）内のセルパイロット信号に関する受信測定値の強度について端末（Ｔ）からシグナリング情報を受信する手段、および前記情報を分析し、端末（Ｔ）に、干渉セル（Ｃ１）が、一定の電力値（Ｐｌ）によって制限された低減された電力で放出する時間−周波数グループ（ＴＦＧ１）を割り当てる手段とを備えることを特徴とするネットワーク要素（ＮＥ）。
【請求項１２】
少なくとも２つのＯＦＤＭパイロットチャネルを並行して受信する手段と、移動無線ネットワーク（Ｎ）通信と時間−周波数グループ（ＴＦＧ１〜ＴＦＧ７）の１つまたは複数の時間周波数パターンを取り決める手段と、境界セル領域（ＯＣ７１）内の干渉隣接セルからのＯＦＤＭパイロット信号を測定し、前記情報を移動無線ネットワーク（Ｎ）に報告する手段とを備えることを特徴とするユーザ端末（Ｔ）。